(57)【要約】【課題】接地が容易なコネクタ、コネクタアセンブリ、及びこれを含む表示装置を提供する。【解決手段】接地が容易なコネクタを開示する。コネクタは、第１方向に延長されて外部装置と結合される一側面を少なくとも含む本体と、導電体からなって本体に配置され、第１方向と直交する第２方向に延長され、第１方向に配列され、外部装置から電源及び制御信号を受ける複数の端子とを含む。複数の端子のうち、グラウンド電源を受ける少なくとも一つの端子は、残りの端子よりも一側面の側に長く延長される。これにより、接地が容易で電気的な損傷を防止することができる。【選択図】図３Ｂ
2010108931.tif 000002
【特許請求の範囲】
【請求項１】
第１方向に延長されて外部装置と結合される一側面を少なくとも含む本体と、
導電体からなって前記本体に配置され、前記第１方向と直交する第２方向に延長され、前記第１方向に配列され、前記外部装置から電源及び制御信号を受ける複数の結合ピンと、
前記複数の結合ピンと結合して前記電源及び前記制御信号を伝達する信号伝送部材と、を含み、
前記複数の結合ピンのうち、グラウンド電源を受ける少なくとも一つの結合ピンは、残りの結合ピンより前記第２方向に長く延長されたことを特徴とするコネクタアセンブリ。 
【請求項２】
前記信号伝送部材は、前記複数の結合ピンと結合されるフレキシブルケーブルからなり、前記フレキシブルケーブルは、前記複数の結合ピンが挿入される複数の挿入孔を含むことを特徴とする請求項１に記載のコネクタアセンブリ。
【請求項３】
互いに結合される第１コネクタと第２コネクタとを含むコネクタアセンブリにおいて、
前記第１コネクタは、
第１方向に延長されて外部装置と結合される一側面を少なくとも含む第１本体と、
導電体からなって前記本体に配置され、前記第１方向と直交する第２方向に延長され、前記第１方向に配列され、前記外部装置から電源及び制御信号を受ける複数の第１端子と、を含み、
前記第２コネクタは、
溝を具備する第２本体と、
導電体からなり、前記第２方向に延長され、前記第１端子に対応して前記溝に前記第１方向に配列される複数の第２端子と、
前記第２端子の各々に対応して前記第２端子から離隔され、前記溝の入口に配置される複数の接地端子を含むことを特徴とするコネクタアセンブリ。
【請求項４】
前記第２コネクタは、導電体からなって前記第２本体の少なくとも一つの面に結合され、前記接地端子と接続される接地部材をさらに含み、
前記接地端子と前記接地部材は、一体に形成されることを特徴とする請求項３に記載のコネクタアセンブリ。
【請求項５】
前記第１端子は、前記第２端子の長さに対応する長さを有することを特徴とする請求項４に記載のコネクタアセンブリ。
【請求項６】
ゲート電圧を出力するゲート駆動部と、
データ電圧を出力するデータ駆動部と、
前記ゲート電圧と前記データ電圧に応答して画像を表示する表示パネルと、
前記ゲート駆動部と前記データ駆動部に制御信号を供給するタイミングコントローラと、
前記タイミングコントローラを実装する駆動回路基板と、
前記駆動回路基板に実装されて前記駆動回路基板と電気的に接続され、溝が具備された第１コネクタと、
前記溝に挿入されて前記第１コネクタと結合する第２コネクタと、を含み、
前記第１コネクタと前記第２コネクタのうち、少なくとも一つは、
第１方向に延長されて外部装置と結合される一側面を少なくとも含む本体と、
導電体からなって前記本体に配置され、前記第１方向と直交する第２方向に延長され、前記第１方向に配列され、前記外部装置から電源及び制御信号を受ける複数の端子と、を含み、
前記複数の端子のうち、グラウンド電源を受ける少なくとも一つの端子は、残りの端子よりも前記第２方向に長く延長されたことを特徴とする表示装置。
【請求項７】
前記端子のうち、前記少なくとも一つの端子は、前記少なくとも一側面から、前記残りの端子よりもより長く延長され、前記端子間の信号干渉を遮断するために前記端子を複数のグループに分けることを特徴とする請求項６に記載の表示装置。
【請求項８】
前記本体は、前記第２方向に前記少なくとも一つの端子の長さに対応する幅を有することを特徴とする請求項６に記載の表示装置。
【請求項９】
前記本体は、
前記少なくとも一つの端子が配置される領域から前記第２方向へ前記少なくとも一つの端子の長さに対応する第１幅を有し、前記残りの端子が配置される領域から前記第２方向へ前記残りの端子の長さに対応する第２幅を有することを特徴とする請求項６に記載の表示装置。
【請求項１０】
前記第２コネクタに結合され、前記電源及び前記制御信号を伝達する信号伝送部材をさらに含むことを特徴とする請求項６に記載の表示装置。
【発明の詳細な説明】
【技術分野】
【０００１】
本発明は、コネクタ、コネクタアセンブリ、及びこれを含む表示装置に関し、より詳細には、接地が容易なコネクタ、コネクタアセンブリ、及びこれを含む表示装置に関する。
【背景技術】
【０００２】
一般的に、液晶表示装置は、画像を表示する液晶表示パネルと、液晶表示パネルに光を供給するバックライトアセンブリと、液晶表示パネルに駆動信号を供給する駆動回路部から構成される。
【０００３】
駆動回路部は、液晶表示パネルのゲートラインを駆動するゲート駆動部と、液晶表示パネルのデータラインを駆動するデータ駆動部と、ゲート駆動部とデータ駆動部に制御信号と電源を供給する印刷回路基板と、を含む。印刷回路基板には、外部から電源と信号の供給を受けるためにケーブルと接続されたコネクタアセンブリが実装される。
【０００４】
コネクタアセンブリは、印刷回路基板とケーブルを電気的に接続する。このためにコネクタアセンブリは、互いに結合される雌コネクタと雄コネクタからなる。ここで、雌コネクタと雄コネクタが結合する際に、接地されない状態で電圧が印加されると、瞬間的に過電流が発生して駆動回路部の損傷を誘発する。
【先行技術文献】
【特許文献】
【０００５】
【特許文献１】特開平０９−１９０８５９号公報
【発明の概要】
【発明が解決しようとする課題】
【０００６】
本発明は、上述の問題点に鑑みてなされたもので、その目的は、過電流による損傷を防止するために、結合の際に接地されるコネクタを提供することにある。
【０００７】
本発明の他の目的は、前記のコネクタを有するコネクタアセンブリを提供することにある。
【０００８】
本発明のまた他の目的は、前記のコネクタアセンブリを有する表示装置を提供することにある。
【課題を解決するための手段】
【０００９】
上述の目的を達成するため、本発明によるコネクタは、第１方向に延長されて外部装置と結合される一側面を少なくとも含む本体と、導電体からなって本体に配置され、第１方向と直交する第２方向に延長され、第１方向に配列され、外部装置から電源及び制御信号が受信される複数の端子とを含む。複数の端子のうち、グラウンド電源（ｇｒｏｕｎｄ  ｖｏｌｔａｇｅ）が受信される少なくとも一つの端子は、残りの端子よりも一側面の側に長く延長される。端子のうち、少なくとも一つの端子は、一側面から残りの端子より長く延長され、端子間の信号干渉を遮断するために端子を複数のグループに分ける。本体は、第２方向に第１端子の長さに対応する幅を有してもよい。
【００１０】
上述の目的を達成するため、本発明によるコネクタアセンブリは、溝が具備された第１コネクタと、溝に挿入されて第１コネクタと結合される第２コネクタと、を含む。第１コネクタと第２コネクタのうち、少なくとも一つは、第１方向に延長されて外部装置と結合される一側面を少なくとも含む本体と、導電体からなって本体に配置され、第１方向と直交する第２方向に延長され、第１方向に配列され、外部装置から電源及び制御信号を受ける複数の端子とを含む。複数の端子のうち、グラウンド電源が受信される少なくとも一つの端子は、残りの端子より一側面の側に長く延長される。端子のうち、少なくとも一つの端子は、少なくとも一側面から残りの端子より、より長く延び、端子間の信号干渉を遮断するために端子を複数のグループに分ける。
【００１１】
上述の目的を達成するため、本発明による他のコネクタアセンブリは、本体と、複数の結合ピンと、信号伝送部材と、を含む。本体は、第１方向に延長されて外部装置と結合される一側面を少なくとも含む。複数の結合ピンは、導電体からなって本体に配置され、第１方向と直交する第２方向に延長されて第１方向に配列され、外部装置から電源及び制御信号を受ける。複数の結合ピンのうち、グラウンド電源を受ける少なくとも一つの結合ピンは、残りの結合ピンより一側面の側に長く延長される。
【００１２】
上述の目的を達成するため、本発明による他のコネクタアセンブリは、互いに結合する第１コネクタと、第２コネクタと、を含む。第１コネクタは、第１方向に延長されて外部装置と結合される一側面を少なくとも含む第１本体及び導電体からなって本体に配置されて、第１方向と直交する第２方向に延長され、第１方向に配列され、外部装置から電源及び制御信号を受ける複数の第１端子を含む。第２コネクタは、溝を具備する第２本体と、導電体からなり、第２方向に延長されて第１端子に対応されるように第１方向に溝に配列される複数の第２端子及び各々の第２端子に対応して第２端子から離隔され、溝の入口に配置される複数の接地端子とを含む。
【００１３】
第２コネクタは、導電体からなって第２本体の少なくとも一つの面に結合され、接地端子と接続される接地部材をさらに含んでもよい。
【００１４】
上述の目的を達成するため、本発明による表示装置は、ゲート電圧を出力するゲート駆動部と、データ電圧を出力するデータ駆動部と、ゲート電圧とデータ電圧に応答して画像を表示する表示パネルと、ゲート駆動部とデータ駆動部に制御信号を供給するタイミングコントローラと、タイミングコントローラを実装する駆動回路基板と、駆動回路基板に実装されて駆動回路基板と電気的に接続され、溝が具備された第１コネクタ及び溝に挿入されて第１コネクタと結合される第２コネクタと、を含む。第１コネクタと第２コネクタのうち、少なくとも一つは、第１方向に延長されて外部装置と結合される一側面を少なくとも含む本体及び導電体からなって本体に配置され、第１方向と直交する第２方向に延長され、第１方向に配列され、外部装置から電源及び制御信号を受ける複数の端子を含む。複数の端子のうち、グラウンド電源を受ける少なくとも一つの端子は、残りの端子より一側面の側に長く延長される。端子のうち、少なくとも一つの端子は、少なくとも一側面から残りの端子より、より長く延長され、端子間の信号干渉を遮断するために端子を複数のグループに分ける。
【発明の効果】
【００１５】
上述したコネクタ、コネクタアセンブリ、及びこれを含む表示装置は、グラウンド電源用端子を残りの端子より、より長く形成することにより、過電流による回路の損傷を防止することができる。
【図面の簡単な説明】
【００１６】
【図１】本発明の一実施形態による表示装置を示す分解斜視図である。
【図２】本発明の第１実施形態によるコネクタアセンブリを示す図である。
【図３Ａ】図２に示した第２コネクタを示す図である。
【図３Ｂ】図３Ａに示したＡを拡大して示す図である。
【図４】図２に示したコネクタアセンブリが結合された状態の断面を示す図である。
【図５Ａ】本発明の第２実施形態によるコネクタアセンブリの第２コネクタを示す図である。
【図５Ｂ】図５Ａに示したＢを拡大して示す図である。
【図６】本発明の第３実施形態によるコネクタアセンブリを示す図である。
【図７】本発明の第４実施形態によるコネクタアセンブリを示す図である。
【図８Ａ】図７に示した第１コネクタと第２コネクタの断面を示す断面図である。
【図８Ｂ】図８Ａに示した第１コネクタと第２コネクタとが結合される形状を示す断面図である。
【図８Ｃ】図８Ａに示した第１コネクタと第２コネクタとが結合される形状を示す断面図である。
【発明を実施するための形態】
【００１７】
以下では、添付された図面を参照してコネクタ、コネクタアセンブリ及びこれを含む表示装置に対する実施形態を詳細に説明する。上述した本発明は、添付された図面と関連した実施形態を通じて容易に理解されるはずである。本発明は、ここで説明される実施形態に限らずに多様な形態に応用され、変形することができる。以下の実施形態は、本発明によって開示された技術思想をより明確にし、本発明が属する分野で平均的な知識を有した当業者に、本発明の技術思想が十分に伝えられることができるように提供される。従って、本発明の範囲が後述される実施形態によって限定されるものではない。一方、図面は明確な説明のために一部が簡略化されている、或いは誇張されて表現されている。図面に示した同一の参照番号は同一の構成要素を示す。
【００１８】
図１は、本発明の一実施形態による表示装置を示す分解斜視図である。
【００１９】
図１を参照すると、表示装置は、表示パネル１００と、ゲート駆動部２１０と、データ駆動部２２０と、タイミングコントローラ２３０と、駆動回路基板２４０と、コネクタアセンブリ２５０と、バックライトアセンブリ３００と、モールドフレーム４００と、を含む。
【００２０】
表示パネル１００は、薄膜トランジスタ基板１１０と、カラーフィルタ基板１２０と、これらの間に介在された液晶１３０と、を含む。
【００２１】
薄膜トランジスタ基板１１０は、一方向に延長されて形成されたゲートライン１１１と、ゲートライン１１１と交差するデータライン１１２と、ゲートライン１１１とデータライン１１２に接続された薄膜トランジスタ１１５と、薄膜トランジスタ１１５に接続された画素電極１１７と、を含む。カラーフィルタ基板１２０は、画素電極１１７と対応して電界を形成する共通電極（図示せず）と、色を表示するためのカラーフィルタ（図示せず）と、を含む。液晶１３０は、誘電率異方性を有し、薄膜トランジスタ基板１１０とカラーフィルタ基板１２０との間で配向される。液晶１３０は、バックライトアセンブリ３００から供給される光の透過率を調節する。
【００２２】
ゲート駆動部２１０は、薄膜トランジスタ基板１１０の一側面にチップオングラス（Ｃｈｉｐ  Ｏｎ  Ｇｌａｓｓ）方式に配置される。ゲート駆動部２１０は、ゲートライン１１１にゲートオン／オフ信号を供給する。一方、ゲート駆動部２１０は、薄膜トランジスタ基板１１０に薄膜トランジスタ１１５を用いて形成することができる。
【００２３】
データ駆動部２２０は、テープキャリアパッケージ（Ｔａｐｅ  Ｃａｒｒｉｅｒ  Ｐａｃｋａｇｅ）方式で、第１信号伝送フィルム２２５に実装される。データ駆動部２２０は、第１信号伝送フィルム２２５を通じて薄膜トランジスタ基板１１０とソース回路基板２２７に電気的に接続される。ソース回路基板２２７は、駆動回路基板２４０から受信された制御信号に基づいてデータ信号を生成し、これをデータ駆動部２２０に伝達する。ソース回路基板２２７は、データ信号を生成するための階調電圧生成部を含むことができる。これを通じて、データ駆動部２２０は、データライン１１２にデータ信号を供給する。
【００２４】
タイミングコントローラ２３０は、駆動回路基板２４０に実装される。タイミングコントローラ２３０は、ゲート駆動部２１０とデータ駆動部２２０に制御信号を供給する。また、タイミングコントローラ２３０は、画像を表示するための画素データをデータ駆動部２２０に供給する。
【００２５】
駆動回路基板２４０は、複数の信号伝送ラインが具備された印刷回路基板（Ｐｒｉｎｔｅｄ  Ｃｉｒｃｕｉｔ  Ｂｏａｒｄ：ＰＣＢ）に形成される。駆動回路基板２４０には、タイミングコントローラ２３０と、コネクタアセンブリ２５０と、各種電子素子が実装される。駆動回路基板２４０は、コネクタアセンブリ２５０を通じて外部から電源と多様な信号が供給される。駆動回路基板２４０は、電源と多様な信号をタイミングコントローラ２３０に供給する。駆動回路基板２４０は、第２信号伝送フィルム２４５を通じてソース回路基板２２７と接続される。第２信号伝送フィルム２４５は、フレキシブルフラットケーブル（Ｆｌｅｘｉｂｌｅ  Ｆｌａｔ  Ｃａｂｌｅ）などにより形成することができ、駆動回路基板２４０とソース回路基板２２７に両端が各々に結合される。ソース回路基板２２７は、駆動回路基板２４０から供給される制御信号及び画素データをゲート駆動部２１０とデータ駆動部２２０に伝達する。駆動回路基板２４０は、ゲート駆動部２１０とデータ駆動部２２０に電源を供給する。
【００２６】
コネクタアセンブリ２５０は、駆動回路基板２４０に実装される第１コネクタ、及び信号伝送部材２８０と結合される第２コネクタからなる。コネクタアセンブリ２５０は、駆動回路基板２４０と信号伝送部材２８０に接続された外部システム（図示せず）に電気的に接続される。これを通じて、駆動回路基板２４０は、外部システムから供給される電源、クロック信号、制御信号、及び画素データを受信する。図面に示さなかったが、第２信号伝送フィルム２４５を通じて接続された駆動回路基板２４０とソース回路基板２２７も第２信号伝送フィルム２４５の代わりに上述したようなコネクタアセンブリ２５０と信号伝送部材２８０を利用して電気的に接続されてもよい。コネクタアセンブリ２５０については、図２乃至図６を参照してより詳細に説明する。
【００２７】
バックライトアセンブリ３００は、表示パネル１００の下側に位置して表示パネル１００に光を供給する。このために、バックライトアセンブリ３００は、光源３１０と、反射シート３２０と、拡散シート３４０と、プリズムシート３５０と、保護シート３６０と、を含む。
【００２８】
光源３１０は、複数のランプを含み、表示パネル１００に供給するための光を生成する。光源３１０の両側には、ランプに電源を供給してランプを支持して固定させる複数のランプホルダがさらに配置されてもよい。反射シート３２０は、光源３１０の下部に配置され、光源３１０の下部に放出される光を反射して光の損失を減少させる。拡散シート３４０は、光源３１０の上部に配置されてランプの間に発生する明暗を補償するために、光源３１０から供給される光を拡散させる。プリズムシート３５０は、拡散シート３４０から拡散される光を集光して表示パネル１００に効率的に供給する。保護シート３６０は、プリズムシート３５０を保護して、外力によってプリズムシート３５０が損傷することを防止する。
【００２９】
バックライトアセンブリ３００は、表示パネル１００の下部全面で直接光を供給する直下型タイプに限定されるものではなく、表示パネル１００の側面で光を供給するエッジ型タイプに形成されてもよい。
【００３０】
モールドフレーム４００は、プラスチックなどの絶縁物質からなる。モールドフレーム４００は、表示パネル１００及びバックライトアセンブリ３００を収納して外部の衝撃からこれらを保護する。
【００３１】
以下では、図２乃至図４を参照して本発明の第１実施形態によるコネクタアセンブリを詳細に説明する。図２は、本発明の第１実施形態によるコネクタアセンブリを示す図であり、図３Ａは、図２に示した第２コネクタを示した図である。図３Ｂは、図３Ａに示したＡの範囲を拡大して示した図であり、図４は、図２に示したコネクタアセンブリが結合された状態の断面を示した図である。
【００３２】
図２、図３Ａ、図３Ｂ、及び図４を参照すると、コネクタアセンブリ２５０は、駆動回路基板２４０上に実装される第１コネクタ２５３と、第１コネクタ２５３に結合する第２コネクタ２７０と、を含む。
【００３３】
第１コネクタ２５３は、溝（ｒｅｃｅｓｓ）２５７が形成された第１本体２５５と、溝２５７の内部に配置された第１端子部２６０と、を含む。
【００３４】
第１本体２５５は、絶縁物質からなって第１方向Ｄ１の長さは、第１方向Ｄ１と直交する第２方向Ｄ２の長さより長い長さを有する長方形の形状に形成される。第１本体２５５は、第２方向Ｄ２に向かって凹むように形成された溝２５７を含む。
【００３５】
第１端子部２６０は、第１方向Ｄ１に一定の間隔を維持して、連続して平行に溝２５７の内部に配置された複数の端子を含む。具体的に第１端子部２６０は、グラウンド電源が印加される複数の第１電源端子２６２と、駆動電源、クロック信号、制御信号、画素データなどが印加される複数の第１シグナル端子２６４と、を含む。第１電源端子２６２の長さは、第１シグナル端子２６４の長さより長い。従って、第１電源端子２６２は、第１シグナル端子２６４より溝２５７の入口部分により近接するように配置される。また、第１電源端子２６２の長さは、第１シグナル端子２６４の長さと同一であってもよい。第１端子部２６０は、例えば、銅合金などの導電性材質からなる。
【００３６】
また、第１電源端子２６２は、複数の第１シグナル端子２６４間の信号干渉、或いはサージ（ｓｕｒｇｅ）の発生を防止するために、一つまたは一つ以上の第１シグナル端子２６４の間に、所定のパターンで配置されてもよい。第１電源端子２６２は、第１シグナル端子２６４を第１シグナル端子２６４の機能に応じて複数のグループに分けてもよい。例えば、第１シグナル端子２６４は、第１グループＲ１と、第２グループＲ２と、第３グループＲ３と、第４グループＲ４と、第５グループＲ５と、第６グループＲ６と、第７グループＲ７と、第８グループＲ８と、を含むグループに分けてもよい。尚、第１電源端子２６２は、第１シグナル端子２６４間の電圧、電流サージ、または信号干渉によって発生しうるディスプレイの欠陥を防止することができる。このとき、第１端子部２６０は、駆動回路基板２４０に具備された信号ライン２６７と電気的に接続される。
【００３７】
第２コネクタ２７０は、溝２５７に結合される第２本体２７１と、第２本体２７１の一つの面に配置された第２端子部２７２と、第２端子部２７２に接続された複数の結合ピン２７８と、を含む。
【００３８】
第２本体２７１は、絶縁材質からなって第１方向Ｄ１の長さが、第２方向Ｄ２の長さより、長い長さを有する長方形の形状に形成される。第２本体２７１の第１方向Ｄ１方向における長さは、例えば、溝２５７の第１方向Ｄ１方向における長さに対応する長さを有してもよい。また、第２本体２７１は、第２方向Ｄ２に溝２５７の深さに対応する第１幅Ｗ１を有してもよい。
【００３９】
第２端子部２７２は、溝２５７に挿入されて結合され、第２本体２７１の下の面に配置された複数の端子を含む。具体的に、第２端子部２７２は、グラウンド電源が印加される複数の第２電源端子２７４と、駆動電源、クロック信号、制御信号、及び画素データなどが印加される複数の第２シグナル端子２７６と、を含む。第２電源端子２７４は、第２シグナル端子２７６の長さよりも長い長さを有する。例えば、第１方向Ｄ１に対して実質的に平行な方向に第２本体２７１の第１側面２７９から延びる第２電源端子２７４は、第１長さＬ１を有し、第２シグナル端子２７６は、第２長さＬ２を有する。第２端子部２７２は、例えば、銅合金などの導電性材質からなる。
【００４０】
第２電源端子２７４は、第２シグナル端子２７６間の信号干渉、或いはサージの発生を防止するために一つまたは一つ以上の第２シグナル端子２７６の間に配置されることができる。第２端子部２７２は、複数の結合ピン２７８と電気的に接続される。
【００４１】
結合ピン２７８は、第２本体２７１の第１側面２７９に配置される。結合ピン２７８は、導電性材質からなって第２本体２７１の第１側面２７９から突出する。
【００４２】
コネクタアセンブリ２５０は、第１コネクタ２５３と第２コネクタ２７０とが結合して、第１端子部２６０と第２端子部２７２とが電気的に接続されて形成される。第１コネクタ２５３と第２コネクタ２７０とが結合するとき、第１電源端子２６２と第２電源端子２７４とは、第１シグナル端子２６４と第２シグナル端子２７６とが接触するよりも先に接触して、不安定な電圧（ｕｎｓｔａｂｌｅ  ｖｏｌｔａｇｅ）を排出（ｄｒａｉｎ）し、過電流を接地する。これにより、コネクタアセンブリ２５０は、サージによって発生する駆動回路基板２４０の損傷を防止することができる。さらに、コネクタアセンブリ２５０は、外部システム、或いは駆動回路基板２４０に残留するダミデータ信号を接地することにより、表示パネルの異常作動を防止することができる。
【００４３】
一方、コネクタアセンブリ２５０には、信号伝送部材２８０が結合される。信号伝送部材２８０は、第２コネクタ２７０の結合ピン２７８と結合する。信号伝送部材２８０は、結合ピン２７８に対応するフレキシブルケーブルを含む。フレキシブルケーブルは、例えば、結合ピン２７８が挿入される複数の挿入孔を含んでもよい。
【００４４】
以下では、図５Ａ及び図５Ｂを参照して本発明の第２実施形態によるコネクタアセンブリを説明する。図５Ａは、本発明の第２実施形態によるコネクタアセンブリの第２コネクタを示した図であり、図５Ｂは、図５Ａに示したＢの範囲を拡大して示した図である。ここで、上述された第１実施形態のコネクタアセンブリと重複する説明は省略する。
【００４５】
図５Ａ及び図５Ｂを参照すると、第２コネクタ２７０は、第１方向Ｄ１の長さが、第２方向Ｄ２の長さよりも長い長さを有する第２本体２７１と、第２本体２７１の一つの面に配置された複数の端子を含む第２端子部２７２と、第２端子部２７２に接続された複数の結合ピン２７８と、を含む。
【００４６】
第２端子部２７２は、グラウンド電源が印加される複数の第２電源端子２７４と、駆動電源、クロック信号、制御信号、及び画素データなどが印加される複数の第２シグナル端子２７６と、を含む。第２本体２７１の第１側面２７９から、第２電源端子２７４は、第１長さＬ１を有し、第２シグナル端子２７６は、第２長さＬ２を有して延びる。
【００４７】
第１長さＬ１は、第２長さＬ２より長い。第２端子部２７２は、銅合金などの導電性材質からなる。
【００４８】
第２本体２７１は、第１方向Ｄ１に垂直な第２方向Ｄ２に第２端子部２７２の長さに対応する幅を有する。具体的に、第２本体２７１は、第２電源端子２７４が配置された領域で、第１長さＬ１に対応する第１幅Ｗ１を有する。第２本体２７１は、第２シグナル端子２７６が配置された領域で、第２長さＬ２に対応する第２幅Ｗ２を有する。第２本体２７１は、第２電源端子２７４の配置によって複数の領域で第１幅Ｗ１を有して形成されてもよい。
【００４９】
以下では、図６を参照して本発明の第３実施形態によるコネクタアセンブリを説明する。図６は、本発明の第３実施形態によるコネクタアセンブリを示す図である。ここで、上述した第１実施形態のコネクタアセンブリと重複する説明については省略する。
【００５０】
図６を参照すると、コネクタアセンブリは、駆動回路基板２４０上に実装される第３本体２９０と、第３本体２９０に結合された複数の結合ピン２９２と、を含む。
【００５１】
第３本体２９０は、絶縁物質からなって第１方向Ｄ１の長さが、第２方向Ｄ２の長さよりも長い長さを有する長方形の形状に形成される。第３本体２９０は、結合ピン２９２を絶縁し、結合ピン２９２を固定する。
【００５２】
結合ピン２９２は、銅合金などの導電性材質からなり、第３本体２９０と結合して一部が露出される。結合ピン２９２は、グラウンド電源が印加される複数の第１電源結合ピン２９４と、駆動電源、クロック信号、制御信号、及び画素データなどが印加される複数の第１シグナル結合ピン２９６と、を含む。第１電源結合ピン２９４は、第１シグナル結合ピン２９６より、より突出して配置される。例えば、第１電源結合ピン２９４は、第３本体２９０の外部に第１長さＬ１ほど露出され、第１シグナル結合ピン２９６は、第３本体２９０の外部に第２長さＬ２ほど露出される。第１長さＬ１は、第２長さＬ２よりも長い。このような結合ピン２９２は、信号伝送部材２８０と結合する。また、結合ピン２９２は、駆動回路基板２４０に具備された信号ライン２６７と電気的に接続される。これによって、結合ピン２９２は、信号伝送部材２８０と信号ライン２６７とを電気的に接続する。
【００５３】
信号伝送部材２８０は、結合ピン２９２と結合するフレキシブルケーブルからなってもよい。信号伝送部材２８０は、結合ピン２９２が挿入される複数の挿入孔を含む。信号伝送部材２８０は、外部から供給されるグラウンド電源、駆動電源、クロック信号、制御信号、及び画素データなどを結合ピン２９２に伝達する。
【００５４】
図７は、本発明の第４実施形態によるコネクタアセンブリを示す図であり、図８Ａは、図７に示した第１コネクタと第２コネクタの断面を示す断面図である。図８Ｂ及び図８Ｃは、図８Ａに示した第１コネクタと第２コネクタが結合する形状を示す断面図である。ここで、上述した第１実施形態のコネクタアセンブリと同一の構成要素については省略して説明する。
【００５５】
図７、図８Ａ、図８Ｂ、及び図８Ｃを参照すると、コネクタアセンブリ２５０は、駆動回路基板２４０上に実装される第１コネクタ２５３と、第１コネクタ２５３に結合される第２コネクタ２７０と、を含む。
【００５６】
第１コネクタ２５３は、一側面に溝２５７が形成された第１本体２５５と、溝２５７に配置された第１端子部２６０と、第１本体２５５の一つの面に結合された接地部材５００と、第１端子部２６０と離隔されて溝２５７に配置された接地端子部５１０と、を含む。
【００５７】
第１本体２５５は、絶縁物質からなって第１方向Ｄ１の長さは、第２方向Ｄ２の長さよりも長い長さを有する長方形の形状に形成される。
【００５８】
第１端子部２６０は、溝２５７の内側に配置されて第２方向Ｄ２に延長され、第１方向Ｄ１に一定の間隔を維持して平行に配列される。第１端子部２６０は、グラウンド電源が印加される複数の第１電源端子と、駆動電源、クロック信号、制御信号、及び画素データなどが印加される複数の第１シグナル端子と、を含む。ここで、第１端子部２６０は、第３長さＬ３を有する。
【００５９】
接地部材５００は、導電体からなって第１本体２５５の少なくとも一つの面に結合される。このような接地部材５００は、第１コネクタ２５３と第２コネクタ２７０との結合の際に発生する静電気（ｓｔａｔｉｃ  ｅｌｅｃｔｒｉｃｉｔｙ）を接地させることができる。
【００６０】
接地端子部５１０は、第１端子部２６０と離隔されて溝２５７の入口に配置される。接地端子部５１０は、第１電源端子と、第１シグナル端子の各々と離隔されて配置される複数の接地端子と、を含む。接地端子部５１０は、接地部材５００と接続されて接地経路（ｇｒｏｕｎｄ  ｐａｔｈ）を形成することができる。接地端子部５１０は、外部装置に充電された静電気が流入されるときに、第１端子部２６０に静電気が流入されないように静電気を接地部材５００に誘導する。これにより、接地端子部５１０は、第１端子部２６０及び駆動回路基板２４０の破損を防止することができる。
【００６１】
接地端子部５１０は、接地部材５００と一体に形成されてもよい。例えば、接地部材５００の一端部を第１端子部２６０の端子に対応するように延長して、接地端子部５１０を形成してもよい。また、接地端子部５１０は、第１本体２５５の端部を覆うように接地部材５００から延長して溝２５７の入口に配置してもよい。
【００６２】
第２コネクタ２７０は、溝２５７に結合される第２本体２７１と、第２本体２７１の一つの面に配置された第２端子部２７２と、を含む。
【００６３】
第２本体２７１は、絶縁材質からなって第１方向Ｄ１に溝２５７に対応する長さを有する長方形の形状に形成される。
【００６４】
第２端子部２７２は、導電性材質からなって第２方向Ｄ２に延長され、第１方向Ｄ１に一定の間隔を維持して第２本体２７１の一つの面に配列される。第２端子部２７２は、第２本体２７１の一側の端部から他側の端部に向けて所定の長さに延長される。第２端子部２７２は、第１端子部２６０に対応する複数の端子を含む。具体的に、第２端子部２７２は、グラウンド電源が印加される複数の第２電源端子と、駆動電源、クロック信号、制御信号、及び画素データなどが印加される複数の第２シグナル端子と、を含む。
【００６５】
第２端子部２７２は、第２コネクタ２７０が第１コネクタ２５３と結合するときに、図８Ｂに示したように接地端子部５１０と接触して接地経路を通じて静電気を接地させ、図８Ｃに示したように第１端子部２６０と接触して外部から供給された駆動電源、クロック信号、制御信号、及び画素データを第１コネクタ２５３に伝達する。第２端子部２７２は、第１端子部２６０と対応する第３長さＬ３に形成される。
【００６６】
例えば、第２端子部２７２が第３長さＬ３より長く形成された場合、接地端子部５１０と接触すると、外部から供給される各種信号及び画素データが接地されてしまうことがある。
【００６７】
しかし、第２端子部２７２は、第３長さＬ３に形成されることに限定されず、第１コネクタ２５３と第２コネクタ２７０とが完全に結合された状態で第１端子部２６０と接地端子部５１０に同時に接触しない長さであれば、限定されることなく形成されてもよい。一方、第２コネクタ２７０のもう一方の側面には、信号伝送部材２８０が結合される。
【符号の説明】
【００６８】
２４０      駆動回路基板
２５０      コネクタアセンブリ
２５３      第１コネクタ
２５５      第１本体
２５７      溝
２６０      第１端子部
２６２      第１電源端子
２６４      第１シグナル端子
２６７      信号ライン
２７０      第２コネクタ
２７１      第２本体
２７２      第２端子部
２７４      第２電源端子
２７６      第２シグナル端子
２７８      結合ピン
２７９      第１側面
２８０      信号伝送部材
【図２】
2010108931.tif 000003
【図３Ａ】
2010108931.tif 000004
【図３Ｂ】
2010108931.tif 000005
【図４】
2010108931.tif 000006
【図５Ａ】
2010108931.tif 000007
【図５Ｂ】
2010108931.tif 000008
【図６】
2010108931.tif 000009
【図７】
2010108931.tif 000010
【図８Ａ】
2010108931.tif 000011
【図８Ｂ】
2010108931.tif 000012
【図８Ｃ】
2010108931.tif 000013
【図１】
2010108931.tif 000014